(57)【要約】【課題】笠木ホルダーに取付けられた状態で笠木の位置を容易に調整可能な笠木の調整構造を得る。【解決手段】笠木ホルダー１８に笠木２０が装着された状態であるか否かに関係なく、移動手段によって固定金具１６に対して笠木ホルダー１８を腰壁１２の壁厚方向（Ｗ方向）に沿って移動可能としている。そして、移動手段によって腰壁１２に対して位置決めされた笠木ホルダー１８は、固定手段によって固定金具１６に固定される。つまり、笠木２０同士が隣接する継ぎ部で笠木２０の位置ずれを確認した場合、笠木２０を笠木ホルダー１８から取り外すことなく、腰壁１２の長さ方向（Ｌ方向）及び壁厚方向（Ｗ方向）に対して当該笠木２０の位置ずれを容易に調整することができる。【選択図】図１
2016217019.tif 000002
【特許請求の範囲】
【請求項１】
腰壁の上端面に固定される固定金具と、
笠木が装着可能とされ、前記笠木が装着された状態で前記腰壁の長さ方向に沿って当該笠木を移動可能とする笠木ホルダーと、
前記笠木ホルダーに前記笠木が装着された状態で前記固定金具に対して当該笠木ホルダーを前記腰壁の壁厚方向に沿って移動可能にする移動手段と、
前記移動手段によって前記腰壁に対して位置決めされた前記笠木ホルダーを前記固定金具に固定させる固定手段と、
を有する笠木の調整構造。
【請求項２】
前記移動手段は、
前記笠木ホルダー及び前記固定金具のうち何れか一方に設けられ、前記腰壁の壁厚方向に沿って形成された被係合部と、
前記笠木ホルダー及び前記固定金具のうち何れか他方に設けられ、前記被係合部と係合し当該被係合部に対して相対移動可能な係合部と、
を含んで構成されている請求項１に記載の笠木の調整構造。
【請求項３】
前記固定手段は、
前記笠木ホルダー及び前記固定金具のうち何れか一方に設けられ、前記腰壁の壁厚方向に沿って形成された第１長穴部と、
前記笠木ホルダー及び前記固定金具のうち何れか他方に設けられたねじ穴と、
前記第１長穴部内へ挿入されると共に前記ねじ穴に螺合され、当該第１長穴部の周辺部を圧接して当該笠木ホルダーを前記固定金具に固定させる固定具と、
を含んで構成されている請求項１又は請求項２に記載の笠木の調整構造。
【請求項４】
前記固定手段は、前記腰壁の内壁面から張り出して配置されている請求項１〜請求項３の何れか１項に記載の笠木の調整構造。
【請求項５】
前記第１長穴部は前記笠木ホルダーに形成されている請求項３に記載の笠木の調整構造。
【請求項６】
前記移動手段によって前記笠木ホルダーが移動可能な状態で前記笠木ホルダーと前記固定金具とを一体化させる係合手段が設けられている請求項２に記載の笠木の調整構造。
【請求項７】
前記被係合部は、前記笠木ホルダーに設けられ前記腰壁の壁厚方向に沿って形成された第２長穴部とされ、前記係合部は、前記固定金具に設けられ前記第２長穴部に挿入され当該第２長穴部に沿って相対移動可能な係合ピンとされている請求項６に記載の笠木の調整構造。
【請求項８】
前記係合手段は、前記係合ピンの先端部に装着されると共に、外形が前記第２長穴部の長手方向に対して直交する幅方向の寸法よりも大きくなるように設定されたキャップとされている請求項７に記載の笠木の調整構造。
【請求項９】
前記固定金具には、前記腰壁の内壁面に当接して、当該腰壁の壁厚方向に対して当該固定金具を位置決めする位置決め片が形成されている請求項１〜請求項８の何れか１項に記載の笠木の調整構造。
【請求項１０】
前記位置決め片が当接する段差部が前記腰壁の内壁面の上縁部を切り欠いて形成されている請求項９に記載の笠木の調整構造。
【発明の詳細な説明】
【技術分野】
【０００１】
本発明は、笠木の調整構造に関する。
【背景技術】
【０００２】
特許文献１に記載の発明では、例えば、パラペット（腰壁）の上端部に装着される笠木取付用ホルダーの一部を構成する補助金具（笠木ホルダー）の高さを高さ調整ビスによって調整することができるようになっている。さらに、長穴と幅調整ビスによってパラペットの壁厚方向で位置調整できるようになっている。
【先行技術文献】
【特許文献】
【０００３】
【特許文献１】実公平６−４４９７７号公報
【発明の概要】
【発明が解決しようとする課題】
【０００４】
しかしながら、この先行技術では、笠木取付用ホルダーに笠木を取付けた後、笠木同士が隣接する継ぎ部で笠木の位置ずれを確認した場合、一旦、笠木を笠木取付用ホルダーから取り外し幅調整ビスを緩めて補助金具の位置調整を行った後、再度、笠木取付用ホルダーに笠木を取り付けなければならない。このため、手間が掛かり、施工性が悪い。
【０００５】
本発明は上記事実を考慮し、笠木ホルダーに取付けられた状態で笠木の位置を容易に調整可能な笠木の調整構造を得ることが目的である。
【課題を解決するための手段】
【０００６】
第１の態様に係る笠木の調整構造は、腰壁の上端面に固定される固定金具と、笠木が装着可能とされ、前記笠木が装着された状態で前記腰壁の長さ方向に沿って当該笠木を移動可能とする笠木ホルダーと、前記笠木ホルダーに前記笠木が装着された状態で前記固定金具に対して当該笠木ホルダーを前記腰壁の壁厚方向に沿って移動可能にする移動手段と、前記移動手段によって前記腰壁に対して位置決めされた前記笠木ホルダーを前記固定金具に固定させる固定手段と、を有している。
【０００７】
第１の態様に係る笠木の調整構造では、腰壁の上端面に固定される固定金具には笠木が装着される笠木ホルダーが固定されるようになっている。この笠木ホルダーに笠木が装着された状態で、笠木は腰壁の長さ方向に沿って移動可能とされている。ここで、「腰壁の長さ方向」は、腰壁の高さ方向及び壁厚方向に対して略直交する方向を指す。
【０００８】
そして、本態様における笠木の調整構造では、移動手段及び固定手段が設けられており、笠木ホルダーに笠木が装着された状態で移動手段によって固定金具に対して笠木ホルダーを腰壁の壁厚方向に沿って移動可能としている。換言すると、笠木ホルダーに笠木が装着された状態であるか否かに関係なく、移動手段によって固定金具に対して笠木ホルダーを腰壁の壁厚方向に沿って移動可能としている。そして、移動手段によって腰壁に対して位置決めされた笠木ホルダーは、固定手段によって固定金具に固定される。
【０００９】
つまり、本態様における笠木の調整構造では、笠木ホルダーに笠木が装着された状態で、笠木同士が隣接する継ぎ部で笠木の位置ずれを確認した場合、笠木を笠木ホルダーから取り外すことなく、腰壁の長さ方向及び壁厚方向に対して当該笠木の位置ずれを直すことができるため、施工性が良い。そして、笠木の位置ずれを直した後に、笠木ホルダーを固定金具に固定させることによって、固定金具及び笠木ホルダーを介して笠木を腰壁に固定させることができる。
【００１０】
第２の態様に係る笠木の調整構造は、第１の態様に係る笠木の調整構造において、前記移動手段は、前記笠木ホルダー及び前記固定金具のうち何れか一方に設けられ、前記腰壁の壁厚方向に沿って形成された被係合部と、前記笠木ホルダー及び前記固定金具のうち何れか他方に設けられ、前記被係合部と係合し当該被係合部に対して相対移動可能な係合部と、を含んで構成されている。
【００１１】
第２の態様に係る笠木の調整構造では、移動手段として、笠木ホルダー（又は固定金具）側に腰壁の壁厚方向に沿って被係合部が形成され、固定金具（又は笠木ホルダー）側には、被係合部と係合し当該被係合部に対して相対移動可能な係合部が形成されている。これにより、笠木ホルダーと固定金具とは、腰壁の壁厚方向に沿って相対移動可能となる。
【００１２】
第３の態様に係る笠木の調整構造は、第１又は第２の態様に係る笠木の調整構造において、前記固定手段は、前記笠木ホルダー及び前記固定金具のうち何れか一方に設けられ、前記腰壁の壁厚方向に沿って形成された第１長穴部と、前記笠木ホルダー及び前記固定金具のうち何れか他方に設けられたねじ穴と、前記第１長穴部内へ挿入されると共に前記ねじ穴に螺合され、当該第１長穴部の周辺部を圧接して当該笠木ホルダーを前記固定金具に固定させる固定具と、を含んで構成されている。
【００１３】
第３の態様に係る笠木の調整構造では、固定手段として、笠木ホルダー（又は固定金具）側には、腰壁の壁厚方向に沿って形成された第１長穴部が形成され、固定金具（又は笠木ホルダー）側にはねじ穴が設けられている。さらに、固定具が、第１長穴部内へ挿入されると共にねじ穴に螺合されて第１長穴部の周辺部を圧接することで、笠木ホルダーが固定金具に固定される。
【００１４】
第４の態様に係る笠木の調整構造は、第１〜第３の態様の何れか１に係る笠木の調整構造において、前記固定手段は、前記腰壁の内壁面から張り出して配置されている。
【００１５】
第４の態様に係る笠木の調整構造では、固定手段が腰壁の内壁面から張り出して配置されることによって、笠木ホルダーを固定金具に固定させる際に固定具と腰壁との干渉を回避させることができる。
【００１６】
第５の態様に係る笠木の調整構造は、第３の態様に係る笠木の調整構造において、前記第１長穴部は前記笠木ホルダーに形成されている。
【００１７】
第６の態様に係る笠木の調整構造は、第２の態様に係る笠木の調整構造において、前記移動手段によって前記笠木ホルダーが移動可能な状態で前記笠木ホルダーと前記固定金具とを一体化させる係合手段が設けられている。
【００１８】
第６の態様に係る笠木の調整構造では、係合手段によって笠木ホルダーと固定金具とが一体化されるため、固定金具を腰壁に固定させる際、固定金具と笠木ホルダーとが別々にならないので作業性が良い。
【００１９】
第７の態様に係る笠木の調整構造は、第６の態様に係る笠木の調整構造において、前記被係合部は、前記笠木ホルダーに設けられ前記腰壁の壁厚方向に沿って形成された第２長穴部とされ、前記係合部は、前記固定金具に設けられ前記第２長穴部に挿入され当該第２長穴部に沿って相対移動可能な係合ピンとされている。
【００２０】
第７の態様に係る笠木の調整構造では、笠木ホルダーに形成された第２長穴部へ固定金具に設けられた係合ピンが挿入され、当該第２長穴部に沿って係合ピンが相対移動可能とされている。つまり、係合ピン及び第２長穴部を介して、笠木ホルダーが固定金具に対して腰壁の壁厚方向に沿って移動可能となる。
【００２１】
第８の態様に係る笠木の調整構造は、第７の態様に係る笠木の調整構造において、前記係合手段は、前記係合ピンの先端部に装着されると共に、外形が前記第２長穴部の長手方向に対して直交する幅方向の寸法よりも大きくなるように設定されたキャップとされている。
【００２２】
第８の態様に係る笠木の調整構造では、係合ピンの先端部にキャップが装着される。このキャップの外形は第２長穴部の長手方向に対して直交する幅方向の寸法よりも大きくなるように設定されている。つまり、係合ピンが第２長穴部に挿入された状態で、係合ピンの先端部にキャップを装着させると、係合ピンは抜け止めされる。これにより、笠木ホルダーが固定金具に対して腰壁の壁厚方向に沿って移動可能な状態で、笠木ホルダーと固定金具とは一体化されることになる。
【００２３】
第９の態様に係る笠木の調整構造は、第１〜第８の態様の何れか１に係る笠木の調整構造において、前記固定金具には、前記腰壁の内壁面に当接して、当該腰壁の壁厚方向に対して当該固定金具を位置決めする位置決め片が形成されている。
【００２４】
第９の態様に係る笠木の調整構造では、固定金具には、腰壁の内壁面に当接する位置決め片が設けられており、当該位置決め片が腰壁の内壁面に当接することによって、腰壁の壁厚方向に対して固定金具が位置決めされる。
【００２５】
第１０の態様に係る笠木の調整構造は、第９の態様に係る笠木の調整構造において、前記位置決め片が当接する段差部が前記腰壁の内壁面の上縁部を切り欠いて形成されている。
【００２６】
第１０の態様に係る笠木の調整構造では、腰壁の内壁面の上縁部を切り欠くことによって、笠木ホルダーを固定金具に固定させるための固定具と腰壁との干渉を回避させることができる。
【発明の効果】
【００２７】
以上説明したように、本発明に係る笠木の調整構造は、笠木ホルダーに取付けられた状態で笠木の位置を容易に調整することができる、という優れた効果を有する。
【図面の簡単な説明】
【００２８】
【図１】本実施の形態に係る笠木の調整構造を示す分解斜視図である。
【図２】本実施の形態に係る笠木の調整構造を構成する笠木ホルダーに笠木を取付ける前の状態を示す縦断面図である。
【図３】本実施の形態に係る笠木の調整構造を構成する笠木ホルダーに笠木を取付けた状態を示す縦断面図である。
【図４】本実施の形態に係る笠木の調整構造を構成する笠木ホルダーに笠木を取付けた状態を示す平面図である。
【図５】本実施の形態に係る笠木の調整構造の作用を説明するための平面図である。
【発明を実施するための形態】
【００２９】
以下、図面を参照して本発明の一実施形態に係る笠木の調整構造について説明する。
【００３０】
＜笠木の調整構造の構成＞
まず、本発明の一実施形態に係る笠木の調整構造の構成について説明する。
【００３１】
図１に示されるように、本実施形態では、建物１０のバルコニなどに設けられた腰壁１２の上端面１４に矩形板状の固定金具１６が固定されるようになっている。この固定金具１６には笠木ホルダー１８が固定可能とされ、当該笠木ホルダー１８に笠木２０が装着されるようになっている。なお、固定金具１６、笠木ホルダー１８及び笠木２０は、それぞれアルミニウム等の金属によって形成されており、以下、これらの部材についてそれぞれ説明する。
【００３２】
（固定金具）
図１に示されるように、固定金具１６は、上述のように、例えば、矩形板状を成しており、腰壁１２の壁厚方向（Ｗ方向）及び高さ方向（Ｈ方向）に対して略直交する腰壁１２の長さ方向（Ｌ方向）を長手方向としている。なお、本実施形態における腰壁１２の建物内側２２に位置する内縁部２４には、側面視で略Ｌ字状を成し腰壁１２の上端面１４から一段下がった状態で段差部２６が設けられた段部２８が形成されている
【００３３】
図１及び図２に示されるように、固定金具１６は、当該固定金具１６の長手方向（Ｌ方向）に対して略直交する幅方向（Ｗ方向）の一方（固定金具１６の外側部１６Ａ）が腰壁１２の上端面１４に接触した状態で、腰壁１２に固定されるようになっている。つまり、固定金具１６は、当該固定金具１６の幅方向の他方（固定金具１６の内側部１６Ｂ）が腰壁１２の上端面１４に接触しない状態で、腰壁１２に固定されることになる。
【００３４】
固定金具１６の下面１６Ｃ側には、当該固定金具１６の幅方向の略中央部から位置決め片としてのリブ３０が垂下されており、当該リブ３０は、固定金具１６の長手方向に沿って形成されている。また、リブ３０は、固定金具１６の長手方向から見た側面図（矢印Ａ方向から見た図）において矩形状を成しており、固定金具１６の外側部１６Ａを腰壁１２の上端面１４に接触させた状態で、リブ３０の側面３０Ａが腰壁１２の段差部２６に当接可能とされる。
【００３５】
このようにリブ３０の側面３０Ａが腰壁１２の段差部２６に当接した状態で、腰壁１２の壁厚方向（Ｗ方向）で固定金具１６を位置決めさせることができる。そして、この状態で、固定金具１６の内側部１６Ｂの端部側は、腰壁１２の内壁面１２Ａから張り出している。
【００３６】
固定金具１６の外側部１６Ａには、固定金具１６の長手方向の両端側に固定穴３２がそれぞれ形成されている。固定穴３２にはビス３４が挿入可能とされており、ワッシャー３６及び固定穴３２に挿入されたビス３４が、腰壁１２の上端部１２Ｂに螺合され固定されるようになっている。固定穴３２と固定穴３２の間には移動手段の一部を構成する係合ピン３８が立設されており、当該係合ピン３８の先端部には有底筒状のキャップ４０が装着可能とされている。なお、本実施形態では、キャップ４０は筒状を成しているが、当該キャップ４０は角状を成していてもよい。一方、固定金具１６の内側部１６Ｂには、固定金具１６の長手方向の中央部に固定手段の一部を構成するねじ穴４２が形成されている。
【００３７】
（笠木ホルダー）
図１及び図２に示されるように、笠木ホルダー１８は、固定金具１６を間において腰壁１２の上端面１４と対向して設けられる。例えば、当該笠木ホルダー１８は、平面視で矩形状を成しており、腰壁１２の壁厚方向（Ｗ方向）を長手方向として形成されている。
【００３８】
また、図４に示されるように、笠木ホルダー１８の幅方向（Ｌ方向）の長さは、固定金具１６の長手方向（Ｌ方向）の長さよりも短くなるように設定されており、笠木ホルダー１８は、固定金具１６に形成された固定穴３２と固定穴３２の間に配置されるようになっている。
【００３９】
一方、図１及び図２に示されるように、笠木ホルダー１８の長手方向（Ｗ方向）の長さは、腰壁１２の壁厚ｔよりも長くなるように設定されており、笠木ホルダー１８の長手方向の両端部が腰壁１２の外壁面１２Ｃ、内壁面１２Ａからそれぞれ張り出すようにして笠木ホルダー１８は腰壁１２上に配置されるようになっている（後述する）。
【００４０】
笠木ホルダー１８の長手方向の中央部には、平板状を成す平板部４４が設けられており、固定金具１６と重なるようになっている。平板部４４の中央部には、笠木ホルダー１８の長手方向に沿って（腰壁１２の壁厚方向に沿って）、移動手段の他部を構成する第２長穴部としての長穴部４４Ａが形成されている。この長穴部４４Ａに固定金具１６に形成された係合ピン３８が係合可能とされる。
【００４１】
具体的には、係合ピン３８が長穴部４４Ａ内に挿入された状態で、係合ピン３８によって長穴部４４Ａが案内され、長穴部４４Ａを介して笠木ホルダー１８が固定金具１６に対して腰壁１２の壁厚方向に沿って移動可能となる。つまり、固定金具１６と笠木ホルダー１８とは、腰壁１２の壁厚方向に沿って相対移動可能とされる。
【００４２】
前述のように、係合ピン３８の先端部にはキャップ４０が装着可能とされるが、係合ピン３８は長穴部４４Ａ内に挿入可能とされる。ここで、キャップ４０の外径は、長穴部４４Ａの長手方向に対して直交する幅方向の寸法よりも大きくなるように設定されている。
【００４３】
このため、係合ピン３８にキャップ４０が装着された状態で、係合ピン３８は抜け止めされる。また、キャップ４０の下面部４０Ａと平板部４４との間には隙間が設けられるようになっている。これにより、笠木ホルダー１８と固定金具１６との相対移動を阻害しないようにしている。
【００４４】
また、笠木ホルダー１８において、建物外側４６に位置する笠木ホルダー１８の長手方向の一端部には被装着部４８が設けられており、建物内側２２に位置する笠木ホルダー１８の長手方向の他端部には被装着部５０が設けられている。そして、笠木ホルダー１８の被装着部４８は、腰壁１２の外壁面１２Ｃから張り出すように形成されており、被装着部５０は、腰壁１２の内壁面１２Ａから張り出すように形成されている。
【００４５】
また、被装着部４８、５０は、笠木ホルダー１８の幅方向（Ｌ方向）から見た側面図（矢印Ａ方向から見た図）において、それぞれ略三角状を成しており、被装着部４８の頂部（後述する支持片５２）の方が、被装着部５０の頂部（後述する支持片５４）よりも高くなるように形成されている。
【００４６】
被装着部４８は、平板部４４において建物外側４６に位置する外縁部から立設する立設片５６を備えている。この立設片５６の先端部からは、建物外側４６へ向かって略水平に屈曲する支持片５２が設けられており、支持片５２の先端部からは腰壁１２から離間する方向へ向かうにつれて下方側へ向かって傾斜する傾斜片５８が設けられている。
【００４７】
傾斜片５８の先端部は、平板部４４よりも若干高い位置となるように設定されており、傾斜片５８の先端部からは下方側へ向かって垂下する被係止片６０が形成されている。被係止片６０の先端部は腰壁１２の上端面１４よりも下方側となるように設定されている。
【００４８】
一方、被装着部５０は、平板部４４において建物内側２２に位置する内縁部から立設する立設片６２を備えている。立設片６２の先端部からは、建物内側２２へ向かって略水平に屈曲する支持片５４が設けられており、支持片５４の先端部からは腰壁１２から離間する方向へ向かうにつれて下方側へ向かって傾斜する傾斜片６４が設けられている。
【００４９】
この傾斜片６４の先端部は、平板部４４と略同じ高さとなるように設定されており、傾斜片６４の先端部からは、下方側へ向かって垂下する垂下片６６が形成されている。この垂下片６６の先端部は、平板部４４から固定金具１６の板厚分下に下がった位置となるように設定されており、垂下片６６の先端部からは建物外側４６へ向かって略水平に屈曲して固定片６８が形成されている。固定片６８は、固定金具１６の下面１６Ｃの下側に位置し、当該固定金具１６と重なった状態で配置されるようになっている。
【００５０】
ここで、固定片６８の中央部には、腰壁１２の壁厚方向（Ｗ方向）に沿って固定手段の他の一部を構成する第１長穴部としての長穴部６８Ａが形成されている。この長穴部６８Ａは、固定金具１６に形成されたねじ穴４２と連通可能とされている。また、固定手段の他部を構成する固定具としてのボルト７０は、長穴部６８Ａへ挿入されると共にねじ穴４２に対して螺合可能とされている。このため、長穴部６８Ａへ挿入されたボルト７０がねじ穴４２に螺合され長穴部６８Ａの周辺部を圧接することによって、笠木ホルダー１８は固定金具１６に固定される。
【００５１】
（笠木）
図１〜図３に示されるように、笠木２０は、固定金具１６及び笠木ホルダー１８を間において腰壁１２の上端面１４と対向して設けられる。例えば、笠木２０は、平面視で矩形状を成しており、腰壁１２の長さ方向（Ｌ方向）を長手方向として、笠木ホルダー１８及び腰壁１２を上方側から覆うように形成されている。
【００５２】
笠木２０は、当該笠木２０の長手方向（Ｌ方向）から見た側面図（矢印Ａ方向から見た図）において下方側を開口とする箱状を成している。笠木２０の上面部２０Ａは、建物内側２２から建物外側４６へ向かうにつれて上方へ向かって傾斜しており、笠木２０の上面部２０Ａ上の雨水等を建物内側２２（ここではバルコニ内）へ案内し、建物外側４６へ落下させないようにしている。
【００５３】
笠木２０の上面部２０Ａの裏面２０Ａ１側には、笠木ホルダー１８に笠木２０が装着された状態で、笠木ホルダー１８の支持片５２、５４がそれぞれ当接可能とされ、笠木２０は当該支持片５２、５４によって支持される。笠木２０の上面部２０Ａの裏面２０Ａ１からは、笠木ホルダー１８に笠木２０が装着された状態で、笠木ホルダー１８の平板部４４と対向すると共に立設片６２の近傍に位置してリブ７２が垂下されている。このリブ７２によって、例えば、建物外側４６から進入したコウモリなどによる支持片５２側への進入が抑制される。
【００５４】
また、笠木２０には、建物外側４６に位置する笠木２０の幅方向（Ｗ方向）の一端部に装着部７４が設けられており、建物内側２２に位置する笠木２０の幅方向の他端部には装着部７６が設けられている。装着部７４は、笠木ホルダー１８の被装着部４８に装着され、装着部７４は、笠木ホルダー１８の被装着部４８に装着されるようになっている。
【００５５】
具体的には、笠木２０の外側壁２０Ｂの下部には、建物内側２２へ向かって屈曲する屈曲片７８が設けられている。屈曲片７８の中央部からは縦壁８０が垂下しており、縦壁８０の先端部には、建物内側２２へ向かって屈曲する屈曲片８２が設けられている。一方、屈曲片７８の先端部には係止部８４が設けられている。係止部８４は、屈曲片７８の先端部から垂下された係止片８６と、係止片８６の先端部から建物内側２２へ向かって屈曲する係止爪８８と、を含んで構成されている。この係止部８４が、笠木ホルダー１８の被装着部４８に設けられた被係止片６０に係止可能とされる。
【００５６】
また、笠木２０の内側壁２０Ｃの高さ方向の中央部の内面２０Ｃ１からは、建物外側４６へ向かって張り出す係止片９０が設けられている。この係合片９０が、笠木ホルダー１８の被装着部５０に設けられた固定片６８に係止可能とされる。笠木２０を笠木ホルダー１８の上方側から押圧すると、当該笠木２０において、腰壁１２の壁厚方向（Ｗ方向）に沿って形成された係止爪８８、係止片９０が笠木ホルダー１８の被係止片６０、固定片６８にそれぞれ係止可能とされる。
【００５７】
したがって、笠木２０の係止爪８８、係止片９０が笠木ホルダー１８の被係止片６０、固定片６８にそれぞれ係止されると、笠木２０は笠木ホルダー１８に装着された状態となる。このように、笠木２０が笠木ホルダー１８に装着された状態で、笠木２０は笠木ホルダー１８の幅方向（Ｌ方向）に対して移動可能とされている。
【００５８】
＜笠木の調整構造の作用・効果＞
次に、本発明の一実施形態に係る笠木の調整構造の作用・効果について説明する。
【００５９】
ここで、笠木２０の取付方法について説明する。まず、図１に示す笠木ホルダー１８と固定金具１６を一体化させる。具体的に説明すると、固定金具１６に設けられた係合ピン３８を笠木ホルダー１８の平板部４４に形成された長穴部４４Ａ内へ挿入させ、係合ピン３８の先端部にキャップ４０を装着させる。
【００６０】
これにより、笠木ホルダー１８は固定金具１６に対して抜け止めされ、当該笠木ホルダー１８と固定金具１６とは一体化される。この状態で、移動手段としての係合ピン３８及び長穴部４４Ａを介して、笠木ホルダー１８と固定金具１６とは相対移動可能となる。
【００６１】
次に、図１及び図２に示されるように、腰壁１２の段差部２６に固定金具１６のリブ３０の側面３０Ａを当接させ、腰壁１２の壁厚方向（Ｗ方向）で固定金具１６を位置決めさせた後、ビス３４を介して腰壁１２の上端部１２Ｂに固定金具１６を固定させる。
【００６２】
そして、図１及び図３に示されるように、固定金具１６に一体化された笠木ホルダー１８の被係止片６０、固定片６８に笠木２０の係止爪８８、係止片９０をそれぞれ係止させ、笠木２０を笠木ホルダー１８に装着させる。
【００６３】
この状態で、笠木２０は、笠木ホルダー１８の幅方向（腰壁１２の長さ方向（Ｌ方向））に沿って移動可能とされている。一方、移動手段によって笠木ホルダー１８は、固定金具１６に対して当該笠木ホルダー１８の長手方向（腰壁１２の壁厚方向（Ｗ方向））に沿って移動可能である。このため、笠木２０は、笠木ホルダー１８を介して腰壁１２の壁厚方向に沿って移動可能となる。
【００６４】
笠木２０の位置を腰壁１２の長さ方向（Ｌ方向）及び壁厚方向（Ｗ方向）で調整した後、固定手段としての笠木ホルダー１８の長穴部６８Ａへボルト７０を挿入し、当該ボルト７０を固定金具１６のねじ穴４２に螺合させる。これにより、笠木ホルダー１８が固定金具１６に固定されると共に、当該笠木ホルダー１８を介して笠木２０が腰壁１２の壁厚方向で固定される。
【００６５】
以上のように、本実施形態では、移動手段及び固定手段が設けられており、笠木ホルダー１８に笠木２０が装着された状態でも移動手段によって笠木ホルダー１８を腰壁１２の壁厚方向（Ｗ方向）に沿って移動可能としている。換言すると、笠木ホルダー１８に笠木２０が装着された状態であるか否かに関係なく、移動手段によって固定金具１６に対して笠木ホルダー１８を腰壁１２の壁厚方向（Ｗ方向）に沿って移動可能としている。そして、移動手段によって腰壁１２に対して位置決めされた笠木ホルダー１８は、固定手段によって固定金具１６に固定される。
【００６６】
つまり、本実施形態では、笠木ホルダー１８に笠木２０が装着された状態で、図５に示されるように、笠木２０同士が隣接する継ぎ部９２で笠木２０の位置ずれを確認した場合、笠木２０を笠木ホルダー１８から取り外すことなく、腰壁１２の長さ方向（Ｌ方向）及び壁厚方向（Ｗ方向）に対して当該笠木２０の位置ずれを容易に直すことができるため、施工性が良い。そして、笠木２０の位置ずれを直した後に、笠木ホルダー１８を固定金具１６に固定させることによって、固定金具１６及び笠木ホルダー１８を介して笠木２０を腰壁１２に固定させることができる。
【００６７】
例えば、製造公差や施工公差によっては、腰壁１２が略９０°で施工されない場合もある。この場合、笠木ホルダー１８又は笠木２０が、略９０°で施工された腰壁１２と同じように取付けられてしまうと、笠木コーナ部９６は略９０°となっていないため、笠木２０だけの微調整が必要となる。本実施形態では、笠木ホルダー１８は、それぞれ腰壁１２の壁厚方向（Ｗ方向）で調整可能であるため、腰壁１２の精度に影響されることなく、笠木２０を精度良く、簡単に施工することができる。
【００６８】
また、一般に、継ぎ部９２では、笠木２０の位置ずれを目隠しするため連結カバー９４が貼着されるようになっている。このため、笠木２０の位置ずれが大きい場合、連結カバー９４の面積は大きくなってしまう。本実施形態によれば、笠木ホルダー１８を介して、笠木２０の位置を腰壁１２の長さ方向（Ｌ方向）及び壁厚方向（Ｗ方向）で調整することができため、結果的に継ぎ部９２において笠木２０同士の位置ずれは小さくなる。したがって、連結カバー９４の面積もその分小さくすることができ、意匠性が向上すると共に、コストダウンを図ることができる。
【００６９】
本実施形態では、図３に示されるように、笠木ホルダー１８の被装着部５０は、腰壁１２の内壁面１２Ａから張り出すように形成されると共に、固定金具１６のねじ穴４２が腰壁１２の内壁面１２Ａから張り出して配置されるようになっている。これにより、笠木ホルダー１８を固定金具１６に固定させる際にボルト７０と腰壁１２との干渉を回避させることができる。
【００７０】
また、本実施形態では、腰壁１２の上端部１２Ｂの内壁面１２Ａに段部２８を設け、当該上端部１２Ｂが切り欠かかれている。これにより、笠木ホルダー１８を固定金具１６に固定させる際にボルト７０と腰壁１２との干渉をさらに回避させることができる。
【００７１】
本実施形態では、固定金具１６には、腰壁１２に形成された段差部２６に当接するリブ３０が設けられ、リブ３０が当該段差部２６に当接することによって、当該腰壁１２の壁厚方向（Ｗ方向）に対して固定金具１６が位置決めされる。これにより、固定金具１６に笠木ホルダー１８を固定する際にボルト７０が腰壁１２の内壁面１２Ａに干渉しないようにすることができる。
【００７２】
また、図１及び図２に示されるように、本実施形態では、笠木ホルダー１８が固定金具１６に対して移動可能な状態で笠木ホルダー１８と固定金具１６とを一体化させるキャップ４０が設けられている。これにより、固定金具１６を腰壁１２に固定させる際、固定金具１６と笠木ホルダー１８とが別々にならないため、作業性が良い。また、笠木ホルダー１８と固定金具１６を一体化させることによって、これらを製品として予め工場で形成することができる。これにより、現場で笠木ホルダー１８と固定金具１６を一体化させる手間が省け、作業性が向上する。
【００７３】
（その他の実施形態）
本実施形態では、図１及び図２に示されるように、腰壁１２に段差部２６を形成したが、この段差部２６は必ずしも必要ではない。この場合、リブ３０は腰壁１２の内壁面１２Ａに当接させるようにする。なお、固定金具１６の形状を変え、外側部１６Ｂにおいて、ねじ穴４２の外側を切断し下側へ向かって折曲げ、折り曲げられた部分を腰壁１２に当接させるようにしてもよい。
【００７４】
また、本実施形態では、笠木ホルダー１８側に長穴部４４Ａが形成され、固定金具１６側には、長穴部４４Ａと係合し当該長穴部４４Ａと相対移動可能な係合ピン３８が形成されているが、笠木ホルダー１８と固定金具１６とが腰壁１２の壁厚方向（Ｗ方向）に沿って相対移動可能となっていれば良いため、この実施形態に限るものではない。
【００７５】
例えば、図示はないしが、笠木ホルダー１８側に係合ピンが形成され、固定金具１６側に長穴部が形成されてもよい。但し、この場合、例えば、長穴部の下部が上部よりも幅広に形成され、長穴部の下部側に係合ピンの先端部に装着されるキャップが収容されるようにする等の工夫が必要となる。
【００７６】
また、これ以外にも、固定金具１６に固定金具１６の長手方向の両端部から上方へ向かって延出されると共に先端部が互いに近接する方向へ向かって屈曲する爪部を設け、当該爪部に笠木ホルダー１８の平板部４４を係合させるようにする。これにより、当該爪部を介して笠木ホルダー１８は抜け止めされると共に、固定金具１６の幅方向（Ｗ方向）に沿って笠木ホルダー１８が移動可能となるようにしてもよい。
【００７７】
さらに、本実施形態では、ベランダの腰壁１２に設けられた笠木２０の調整構造について説明したが、ベランダに限らず、パラペット、階段、手摺り等に用いられる笠木に適用されても良い。
【００７８】
以上、本発明の一実施形態について説明したが、本発明は、上記に限定されるものでなく、上記以外にも、その主旨を逸脱しない範囲内において種々変形して実施可能であることは勿論である。
【符号の説明】
【００７９】
１０    建物
１２    腰壁
１２Ａ  内壁面
１４    上端面
１６    固定金具
１８    笠木ホルダー
２０    笠木
２６    段差部
３０    リブ（位置決め片）
３８    係合ピン（係合部、移動手段）
４０    キャップ（係合手段）
４２    ねじ穴（固定手段）
４４Ａ  長穴部（第２長穴部、被係合部、移動手段）
６８Ａ  長穴部（第１長穴部、固定手段）
７０    ボルト（固定具、固定手段）
【図１】
2016217019.tif 000003
【図２】
2016217019.tif 000004
【図３】
2016217019.tif 000005
【図４】
2016217019.tif 000006
【図５】
2016217019.tif 000007